(57)【要約】      （修正有）【課題】少ない部品点数と簡単な取り付け工程で、確実な施錠を扉開閉用ハンドルに施すことができる開閉扉の施錠機構を提供する。【解決手段】扉に固定されるベース１０と、ベース１０から突出した軸部２０と、レバー３０とを有し、扉側に回動不能に設けられた第１施錠用片４０と、レバー３０と一体に回動する第２施錠用片部５０とを備える。第１施錠用片４０は、ベース１０と扉との間に挟まれて固定される。第２施錠用片５０は、レバー２０の裏側に固定される。レバー３０の回動により第２合わせ部が第１合わせ部に接近した状態で、両合わせ部同士を施錠手段６０によって固定する。【選択図】図１
0003158427.tif 000002
【実用新案登録請求の範囲】
【請求項１】
扉に固定されるベースと、ベースから表側と裏側に突出した軸部と、表側に突出した上記軸部に連結あるいは一体に形成され且つベースに対して回動可能な棒状体のレバーとを有する、扉開閉用ハンドルの施錠機構において、
扉側に回動不能に設けられた第１施錠用片と、レバーと一体に回動する第２施錠用片とを備え、
上記両施錠用片同士を固定してレバーのベースに対する回動を防止する施錠手段を備え、
第１施錠用片は、ベースと扉との間に挟まれて固定される基端側の固定部と、この固定部からレバー側に伸びる第１合わせ部とを備え、
第２施錠用片は、レバーに固定される基端側の固定部と、固定部からベース側に伸びる第２合わせ部とを備え、
上記レバーの回動により第２合わせ部が第１合わせ部に接近した状態で、上記第１と第２の合わせ部同士を上記施錠手段によって固定するようにしたことを特徴とする扉開閉用ハンドルの施錠機構。
【請求項２】
上記ベースは、その裏側に位置決め突起が設けられ、
上記扉には軸取り付け孔と位置決め部とが設けられ、この軸取り付け孔に上記軸部が通されると共に、上記位置決め部に上記位ベースの置決め突起を受容させて、扉にベースを取り付けるものであり、
上記第１施錠用片の固定部は、上記ベースから裏側に突出する軸部を通すことができる軸挿通部と、上記位置決め突起を通すことができる突起挿通部とを備え、
ベースを扉に取り付ける際に、ベースと扉との間に上記第１施錠用片の固定部を配置し、上記軸挿通部に上記軸部を通すと共に、上記突起挿通部に上記位置決め突起を通すものであることを特徴とする請求項１記載の扉開閉用ハンドルの施錠機構。
【請求項３】
上記第１合わせ部と第２合わせ部とは、上記軸部の軸方向と平行に伸びるものであり、
上記第２施錠用片の固定部はネジ挿通部を備え、このネジ挿通部にネジを通して上記第２施錠用片をレバー裏面に固定するものであり、
上記第２合わせ部は、上記第２施錠用片の固定部におけるレバーの先端寄りで屈曲してベース側に伸びるものであり、上記第２合わせ部は、上記ネジ挿通部よりもレバーの先端側に位置していることを特徴とする請求項２記載の扉開閉用ハンドルの施錠機構。
【請求項４】
上記第１施錠用片の固定部と、上記第２施錠用片の固定部との少なくともいずれか一方の端部から、上記軸部の軸方向と平行に伸びる水平部と、水平部の端部からレバーの基端側に伸びる後退部とが設けられ、この後退部の端部に上記の第１合わせ部と第２合わせ部との少なくともいずれか一方が設けられたことを特徴とする請求項３記載の扉開閉用ハンドルの施錠機構。
【考案の詳細な説明】
【技術分野】
【０００１】
本願考案は、扉開閉用ハンドルの施錠機構に関する。
【背景技術】
【０００２】
従来から、配電盤収納ボックス等、各種の扉に取り付けるための扉開閉用ハンドルが広く用いられている。このうちで、扉の表面からＬ形に棒状体が突出した形態を持つ、いわゆるＬ形ハンドルはよく知られている。
このＬ形ハンドルは、扉に固定されるベースと、ベースから突出する軸部と、軸部に連結され、あるいは軸部と一体に形成される棒状体であって、ベースに対して回動可能に取り付けられるレバーとを有する。そして、ハンドルを回動させることにより、軸部に連結された閂片等を移動させ、これによって扉を開放することができる構造となっている。
この扉開閉用ハンドルの取り付けられた扉がいたずら等により開放されてしまい、配電盤収納ボックス内の機器等、扉の内部がいじられてしまうことがあった。又、故意にではなくても、勘違い等により、上記と同様のことが起こり、配電盤等の場合は重大な影響を周囲に及ぼすことがあった。
このため、いたずら等を受ける可能性の少ない、より安全な扉開閉用ハンドルの施錠機構として、特許文献１に示すものが提案されている。
【０００３】
この特許文献１に示すものは、扉に固定されるベースと、ベースから突出した軸部と、軸部に連結あるいは一体に形成され且つベースに対して回動可能な棒状体のレバーとを有する、扉開閉用ハンドルの施錠機構であり、この扉側に固定される固定部材と、レバーに干渉する左右一対の可動部材と、接続手段とを備え、接続手段は、可動部材がレバーの回動領域に位置する装着位置と、回動領域外に位置する非装着位置との２つの位置の間を移動し得るように、左右の両可動部材を固定部材に回動可能に取り付けるものであり、左の可動部材は、レバーの左横に配位される横側面を備え、右の両可動部材は、レバーの右横に配位される横側面を備え、これらの左右の可動部材は、上記の左右両横側面をレバーの左右両横に配位して回動不能に挟んだ両可動部材同士を固定して施錠する手段を備え、両可動部材同士を固定して施錠することにより、レバーが回動不能となることを特徴とする。
このような特許文献１の機構は、レバーに対して可動部材が装着されることにより、レバーを回動不能にすることができるため、扉開閉用ハンドルを開放されることによるいたずら等を防止することができ、安全性の高いものとできるものであった。
一方、このように優れた特許文献１の扉開閉用ハンドルの施錠機構であるが、本願考案者は、更に改良の余地がないか検討を重ねた。
【０００４】
検討してみると、南京錠を装着する可動部材について、南京錠を掛けるためには、扉の開閉レバーとは別に、当該可動部材を回動するという手間を採る必要があった。
特に、特許文献１の図２へ示すように、固定部材（扉側）に対し接続部を介して回動自在に接続された２つの可動部材（横側面）を、夫々別々に回動し、同文献の図１へ示すように南京錠のツルを通す貫通孔の位置を合わせて、南京錠を施錠する手間を採る必要があった。また、同文献の図４へ示すように、上記両可動部材が一体に回動するものであっても、南京錠を施錠するためには、扉の開閉レバーとは別に可動部材を回動する必要がある点変わらない。その上、この図４へ示すものでは、別途ツルを通す貫通穴を備えた閂片を、同文献の図３へ示すように上記両貫通孔へ通す手間を採らねばならなかった。
また、上記の通り、開閉レバーとは別に回動させる可動部材を設けたり、特に別々に回動する２つの可動部材を設けたり或いは閂片を用意するのは、製造時において、製造工程や部品点数も多くを要するものでもあり、コストアップの要因ともなるものであった。
【先行技術文献】
【特許文献】
【０００５】
【特許文献１】特許第４０８７１５９号公報
【考案の開示】
【考案が解決しようとする課題】
【０００６】
本願考案は、扉開閉用ハンドルの施錠機構において、使用時、南京錠等の施錠手段による施錠に到るまでの手間を低減し、部品点数を低減し、容易な取り付けで施錠を行うことができるようにした扉開閉用ハンドルの施錠機構の提供を図ることを目的とする。
【課題を解決するための手段】
【０００７】
本願の請求項１に係る考案は、扉に固定されるベースと、ベースから表側と裏側に突出した軸部と、表側に突出した上記軸部に連結あるいは一体に形成され且つベースに対して回動可能な棒状体のレバーとを有する、扉開閉用ハンドルの施錠機構において、扉側に回動不能に設けられた第１施錠用片と、レバーと一体に回動する第２施錠用片とを備え、上記両施錠用片同士を固定してレバーのベースに対する回動を防止する施錠手段を備え、第１施錠用片は、ベースと扉との間に挟まれて固定される基端側の固定部と、この固定部からレバー側に伸びる第１合わせ部とを備え、第２施錠用片は、レバーに固定される基端側の固定部と、固定部からベース側に伸びる第２合わせ部とを備え、上記レバーの回動により第２合わせ部が第１合わせ部に接近した状態で、上記第１と第２の合わせ部同士を上記施錠手段によって固定するようにしたことを特徴とする扉開閉用ハンドルの施錠機構を提供する。
本願の請求項２に係る考案は、上記ベースは、その裏側に位置決め突起が設けられ、上記扉には軸取り付け孔と位置決め部とが設けられ、この軸取り付け孔に上記軸部が通されると共に、上記位置決め部に上記位ベースの置決め突起を受容させて、扉にベースを取り付けるものであり、上記第１施錠用片の固定部は、上記ベースから裏側に突出する軸部を通すことができる軸挿通部と、上記位置決め突起を通すことができる突起挿通部とを備え、ベースを扉に取り付ける際に、ベースと扉との間に上記第１施錠用片の固定部を配置し、上記軸挿通部に上記軸部を通すと共に、上記突起挿通部に上記位置決め突起を通すものであることを特徴とする請求項１記載の扉開閉用ハンドルの施錠機構を提供する。
本願の請求項３に係る考案は、上記第１合わせ部と第２合わせ部とは、上記軸部の軸方向と平行に伸びるものであり、上記第２施錠用片の固定部はネジ挿通部を備え、このネジ挿通部にネジを通して上記第２施錠用片をレバー裏面に固定するものであり、上記第２合わせ部は、上記第２施錠用片の固定部におけるレバーの先端寄りで屈曲してベース側に伸びるものであり、上記第２合わせ部は、上記ネジ挿通部よりもレバーの先端側に位置していることを特徴とする請求項２記載の扉開閉用ハンドルの施錠機構を提供する。
本願の請求項４に係る考案は、上記第１施錠用片の固定部と、上記第２施錠用片の固定部との少なくともいずれか一方の端部から、上記軸部の軸方向と平行に伸びる水平部と、水平部の端部からレバーの基端側に伸びる後退部とが設けられ、この後退部の端部に上記の第１合わせ部と第２合わせ部との少なくともいずれか一方が設けられたことを特徴とする請求項３記載の扉開閉用ハンドルの施錠機構を提供する。
【考案の効果】
【０００８】
本願考案にあっては、扉側に回動不能に設けられた第１施錠用片と、レバーと一体に回動する第２施錠用片とを備えるものであり、上記レバーの回動により第２合わせ部が第１合わせ部に接近した状態で、上記第１と第２の合わせ部同士を上記施錠手段によって固定するものであり、施錠手段による固定即ち施錠のために、第１施錠用片について回動操作を必要とせず、また、当該施錠のため第１施錠用片に位置を合わせる必要がある第２施錠用片についても、扉の開閉用のレバーの回動にて当該レバーと一体に回動することができ、レバーと別に回動させて位置合わせを行うという手間が不要である。また第１と第２の施錠用片のみで上記施錠のための構成を実現することができるものであり、最小の部品点数で有効な施錠が可能となったものである。
さらに第１施錠用片は、ベースと扉との間に挟まれて固定される基端側の固定部と、この固定部からレバー側に伸びる第１合わせ部とを備えるため、ハンドルをベースに固定する通常の施工工程だけで、取り付けが実現する。より具体的には、請求項２に記載の手段によって、ベースを扉に取り付ける際に、ベースと扉との間に上記第１施錠用片の固定部を配置し、上記軸挿通部に上記軸部を通すと共に、上記突起挿通部に上記位置決め突起を通すだけで、取り付けが完了する。
請求項３に係る考案では、上記第２施錠用片の固定部はネジ挿通部を備えるため、ネジだけでレバーに固定できる。しかも、上記第１合わせ部と第２合わせ部とは、上記軸部の軸方向と平行に伸びるものであり、上記第２合わせ部は、上記第２施錠用片の固定部におけるレバーの先端寄りで屈曲してベース側に伸びるものであり、上記第２合わせ部は、上記ネジ挿通部よりもレバーの先端側に位置しているため、施錠状態では、上記ネジは第２合わせ部に隠れて外部から見えにくく、いたずらでネジを外すことが困難になり、安全性が高い。
請求項４に係る考案では、上記第１施錠用片の固定部と、上記第２施錠用片の固定部との少なくともいずれか一方の端部から、上記軸部の軸方向と平行に伸びる水平部と、水平部の端部からレバーの基端側に伸びる後退部とが設けられ、この後退部の端部に上記の第１合わせ部と第２合わせ部との少なくともいずれか一方が設けられたものであるため、上記の第１合わせ部と第２合わせ部との位置がレバーの基端側（軸部に近い側）に位置するものとなり、第１合わせ部及び第２合わせ部に対するいたずらや破壊作業が困難になる。
【図面の簡単な説明】
【０００９】
【図１】本願発明の実施の形態に係る施錠機構の斜視図であり（Ａ）は正面側からの斜視図、（Ｂ）は背面側からの斜視図。
【図２】同施錠機構に係る第１、第２の施錠用片の斜視図。
【図３】同施錠機構の側面図。
【図４】同施錠機構の要部断面図。
【考案を実施するための最良の形態】
【００１０】
以下、図面に基づき本願考案の実施の形態を説明する。
この開閉用ハンドルの施錠機構は、ベース１０と、軸部２０と、レバー３０と、第１施錠用片４０と、第２施錠用片５０と、施錠手段６０とを備える。
以下、各部の構成について詳述する。  
【００１１】
図１及び図２へ示す通り、ベース１は、扉７０に固定される。
ベース１０は、図３へ示す通り、内部に上記軸部２０を回動自在に挿通することができる筒状部１１と、筒状部１１の外周面に設けられた鍔状部１２とを備える。
筒状部１１は、扉７０を貫通するように設けられ、鍔状部１２の裏面が扉７０の表面に固定される。
鍔状部１２は、その裏側から、上記の軸部２０が突出していると共に、位置決め突起１３が設けられている。
上記扉７０には軸取り付け孔７１と位置決め部７２とが設けられ、この軸取り付け孔７１に上記軸部２０が通されると共に、上記位置決め部７２にベースの置決め突起１３を受容させて、ナット２１を締め付けて扉７０にベース１０を取り付けるものである。
【００１２】
軸部２０は、ベース１０を突き通した状態にベース１０へ設けられるものである。軸部２０は、先端にレバー３０が一体に設けられており、ベース１０の筒状部１１へ回動自在に挿入される。
【００１３】
レバー３０は、軸部２０の軸方向と略直交する方向（この例では下方）に伸びる棒状体であり、軸部２０を中心に、ベース１０に対し軸部２０と一体に回動することができる。但し、把手として機能するものであればよく、レバー３０は棒状のものに限定するものではない。このレバー３０の裏面（扉側を向いた部分）には、ネジ穴３１が形成されているが、このネジ穴３１はレバー３０の成形時にあらかじめ加工されたものであってもよく、既設のレバー３０に、この施錠機構を後付けする場合には、その取り付け施工時に加工してもよい。
【００１４】
施錠手段６０は、南京錠などの自由端を備えたツルを被施錠物へ挿通した後ツルの自由端を錠本体へ差し込むことにより閉じて施錠を行うツル付錠前を採用することが好適であるが、チェーン錠や、ダイヤル錠など種々の錠前を用いることができる。
【００１５】
第１施錠用片４０は、Ｌ字状の金属や硬質樹脂製の板材を用いることができ、ベース１０と扉７０との間に挟まれて、上記ナット２１の締め付けにより固定される。この第１施錠用片４０は、ベース１０と扉７０との間に挟まれて固定される基端側の固定部４１と、この固定部４１から屈曲してレバー側に伸びる第１合わせ部４２とを備える。固定部４１には、軸挿通部４３と突起挿通部４４とを備える。取り付けに際しては、この軸挿通部４３に軸部２０が通されると共に、突起挿通部４４に上記位置決め突起１３が通される。軸挿通部４３と突起挿通部４４とは、貫通孔として実施されているが、切欠きなどに変更して実施することもできる。第１合わせ部４２には、施錠手段６０のツルなどが通される施錠用孔４５が設けられている。
【００１６】
第２施錠用片５０は、金属や硬質樹脂製の板材を用いることができ、レバー３０にネジ３２で固定される。第２施錠用片５０は、固定部５１と、その下端部から上記軸部２０の軸方向に伸びる水平部５２と、その端部からレバーの基端側（この例では上方）に伸びる後退部５３と、その端部から水平に伸びる第２合わせ部５４とから構成され、この第２合わせ部５４に施錠手段６０のツルなどが通される施錠用孔５５が設けられている。
固定部５１には、ネジ挿通部５６を備え、このネジ挿通部５６にネジ３２を通してレバー３０裏面のネジ穴３１に固定する。なお、水平部及び後退部を設けずにＬ字状として実施することもでき、また、水平部及び後退部を第１施錠用片４０側に設けてもよく、第１第２の両者に設けてもよい。
【００１７】
次に、以上のようにして組み立てられた開閉扉の施錠機構の使用状態について説明する。
扉７０が閉ざされた状態で、第１合わせ部４２の施錠用孔４５と、第２合わせ部５４の施錠用孔５５とが合致し、両者に施錠手段６０のツルなどが通されて施錠されることによって、レバー３０を回動させることが出来なくなり、施錠できる。開錠すると、レバー３０は第２施錠用片５０を取り付けた状態のまま回動させることが出来る。
以上、この開閉扉の施錠機構は、施錠手段のないハンドルにあっても、最小の部品点数と簡単な取り付け工程で、確実な施錠をハンドルに施すことができたものであり、施錠手段を有するハンドルにあってはダブルロック機能を付与できるようになったものである。また、この開閉扉の施錠機構を装着することを前提に設計されたハンドルにあってはもちろんのこと、既設のハンドルに対しても、レバー３０にネジ加工するだけで施錠機構を装着することができるものである。
【符号の説明】
【００１８】
１０  ベース
２０  軸部
３０  レバー
４０  第１施錠用片
５０  第２施錠用片
６０  施錠手段
７０  扉
【図１】
0003158427.tif 000003
【図２】
0003158427.tif 000004
【図３】
0003158427.tif 000005
【図４】
0003158427.tif 000006
【手続補正書】
【提出日】平成22年2月1日(2010.2.1)
【手続補正１】
【補正対象書類名】実用新案登録請求の範囲
【補正対象項目名】請求項２
【補正方法】変更
【補正の内容】
【請求項２】
上記ベースは、その裏側に位置決め突起が設けられ、
上記扉には軸取り付け孔と位置決め部とが設けられ、この軸取り付け孔に上記軸部が通されると共に、上記位置決め部に上記ベースの位置決め突起を受容させて、扉にベースを取り付けるものであり、
上記第１施錠用片の固定部は、上記ベースから裏側に突出する軸部を通すことができる軸挿通部と、上記位置決め突起を通すことができる突起挿通部とを備え、
ベースを扉に取り付ける際に、ベースと扉との間に上記第１施錠用片の固定部を配置し、上記軸挿通部に上記軸部を通すと共に、上記突起挿通部に上記位置決め突起を通すものであることを特徴とする請求項１記載の扉開閉用ハンドルの施錠機構。
【手続補正２】
【補正対象書類名】明細書
【補正対象項目名】０００７
【補正方法】変更
【補正の内容】
【０００７】
本願の請求項１に係る考案は、扉に固定されるベースと、ベースから表側と裏側に突出した軸部と、表側に突出した上記軸部に連結あるいは一体に形成され且つベースに対して回動可能な棒状体のレバーとを有する、扉開閉用ハンドルの施錠機構において、扉側に回動不能に設けられた第１施錠用片と、レバーと一体に回動する第２施錠用片とを備え、上記両施錠用片同士を固定してレバーのベースに対する回動を防止する施錠手段を備え、第１施錠用片は、ベースと扉との間に挟まれて固定される基端側の固定部と、この固定部からレバー側に伸びる第１合わせ部とを備え、第２施錠用片は、レバーに固定される基端側の固定部と、固定部からベース側に伸びる第２合わせ部とを備え、上記レバーの回動により第２合わせ部が第１合わせ部に接近した状態で、上記第１と第２の合わせ部同士を上記施錠手段によって固定するようにしたことを特徴とする扉開閉用ハンドルの施錠機構を提供する。
本願の請求項２に係る考案は、上記ベースは、その裏側に位置決め突起が設けられ、上記扉には軸取り付け孔と位置決め部とが設けられ、この軸取り付け孔に上記軸部が通されると共に、上記位置決め部に上記ベースの位置決め突起を受容させて、扉にベースを取り付けるものであり、上記第１施錠用片の固定部は、上記ベースから裏側に突出する軸部を通すことができる軸挿通部と、上記位置決め突起を通すことができる突起挿通部とを備え、ベースを扉に取り付ける際に、ベースと扉との間に上記第１施錠用片の固定部を配置し、上記軸挿通部に上記軸部を通すと共に、上記突起挿通部に上記位置決め突起を通すものであることを特徴とする請求項１記載の扉開閉用ハンドルの施錠機構を提供する。
本願の請求項３に係る考案は、上記第１合わせ部と第２合わせ部とは、上記軸部の軸方向と平行に伸びるものであり、上記第２施錠用片の固定部はネジ挿通部を備え、このネジ挿通部にネジを通して上記第２施錠用片をレバー裏面に固定するものであり、上記第２合わせ部は、上記第２施錠用片の固定部におけるレバーの先端寄りで屈曲してベース側に伸びるものであり、上記第２合わせ部は、上記ネジ挿通部よりもレバーの先端側に位置していることを特徴とする請求項２記載の扉開閉用ハンドルの施錠機構を提供する。
本願の請求項４に係る考案は、上記第１施錠用片の固定部と、上記第２施錠用片の固定部との少なくともいずれか一方の端部から、上記軸部の軸方向と平行に伸びる水平部と、水平部の端部からレバーの基端側に伸びる後退部とが設けられ、この後退部の端部に上記の第１合わせ部と第２合わせ部との少なくともいずれか一方が設けられたことを特徴とする請求項３記載の扉開閉用ハンドルの施錠機構を提供する。
【手続補正３】
【補正対象書類名】明細書
【補正対象項目名】００１１
【補正方法】変更
【補正の内容】
【００１１】
図１及び図２へ示す通り、ベース１は、扉７０に固定される。
ベース１０は、図３へ示す通り、内部に上記軸部２０を回動自在に挿通することができる筒状部１１と、筒状部１１の外周面に設けられた鍔状部１２とを備える。
筒状部１１は、扉７０を貫通するように設けられ、鍔状部１２の裏面が扉７０の表面に固定される。
鍔状部１２は、その裏側から、上記の軸部２０が突出していると共に、位置決め突起１３が設けられている。
上記扉７０には軸取り付け孔７１と位置決め部７２とが設けられ、この軸取り付け孔７１に上記軸部２０が通されると共に、上記位置決め部７２にベースの位置決め突起１３を受容させて、ナット２１を締め付けて扉７０にベース１０を取り付けるものである。